(57)【要約】【課題】通報文を圧縮又は暗号化せずに直接接続した後、通報文を照会したり、通報文の伝送を受けることができ、該当クライアントプログラムの開発技術を所有している者によってアップグレード可能な気象情報受信及び出力専用装置を提供する。【解決手段】気象庁のサーバに接続してデータベースを検索し、通報文ダウンロードの有無を照会するサーバ接続部と、前記サーバ接続部によるデータベース照会後、新規の通報文をダウンロードして処理する通報文ダウンロード処理部と、前記通報文ダウン処理部の信号を受けて、新規の通報文を出力するように制御する通報文出力制御部と、前記通報文出力制御部の制御によって通報文が認識用に出力される通報文出力部とを含み、前記サーバ接続部及び通報文ダウンロード処理部は、インターネットの開放型アーキテクチャを基盤にしてデータベースを照会・ダウンロードする。【選択図】図２
2010141896.tif 000002
【特許請求の範囲】
【請求項１】
気象庁のサーバに接続してデータベースを検索し、ダウンロードされる通報文の有無を照会するサーバ接続部と、
前記サーバ接続部による前記データベースの照会後、新規の通報文をダウンロードする通報文ダウンロード処理部と、
前記通報文ダウンロード処理部の信号を受けて、前記新規の通報文を出力するように制御する通報文出力制御部と、
前記通報文出力制御部の制御によって前記新規の通報文を認識用に出力する通報文出力部と、を含み、
前記サーバ接続部及び通報文ダウンロード処理部は、インターネットの開放型アーキテクチャを基盤にして前記データベースを照会・ダウンロードすることを特徴とする気象情報受信及び出力専用装置。
【請求項２】
前記サーバ接続部、通報文ダウンロード処理部、通報文出力制御部及び通報文出力部は、一体型セットトップボックス形態で備えられることを特徴とする、請求項１に記載の気象情報受信及び出力専用装置。
【請求項３】
前記通報文出力部は、警光灯、ＬＣＤ表示部、電光板、スピーカ及びプリンタから選択される少なくとも一つであることを特徴とする、請求項１または２に記載の気象情報受信及び出力専用装置。
【請求項４】
前記通報文出力制御部には、アプリケーションプログラムを格納し、特定のサーバのみに接続されるように内蔵型メモリが連結されることを特徴とする、請求項１から３の何れか１項に記載の気象情報受信及び出力専用装置。
【発明の詳細な説明】
【技術分野】
【０００１】
本発明は、気象情報受信及び出力専用装置に関するもので、より詳細には、予報、特報、地震、気象情報などの気象庁で作成された予報及び特報情報の伝達を受けて出力する気象情報受信及び出力専用装置に関するものである。
【背景技術】
【０００２】
一般的に、現在の気象予報システムは、テレビやラジオなどの公衆波放送媒体を介して一定の時間（例えば、ニュース番組の放送時間など）のみに限定された気象情報（温度、湿度、雨が降る確率など）を視聴者に知らせている。
【０００３】
すなわち、気象衛星などを用いて台風、洪水、豪雨、暴風、津波、大雪、日照り及び地震などの自然災害データを収集した後、これを中央災害対策本部及び地方自治体の災害対策本部などの警報発令機関又は報道機関に伝達し、災害状況に応じた警報を迅速に知らせている。
【０００４】
従来は、送信装置で気象情報を圧縮又は暗号化して送る形式で具現されたが、送信装置の受信及び出力プログラムも特定の対象のみが修正可能であるので、気象情報を作成して伝達する主体である気象庁で多様な形式の気象情報を伝達するためには該当ソフトウェアのアップグレードが必要であり、技術的な発展を図るのが難しい実情である。
【発明の概要】
【発明が解決しようとする課題】
【０００５】
本発明は、前記のような従来の問題点を解決するためになされたもので、その目的は、気象予報及び特報を汎用的なフォーマットから標準フォーマットとして選定し、インターネット上でリアルタイムにダウンロードし、気象情報出力プログラムであるスマートアラーム及びオープンアーキテクチャを基盤にして視覚的及び聴覚的に出力可能であるので、通報文を圧縮又は暗号化せずに直接接続した後、通報文を照会したり、通報文の伝送を受けることができ、該当クライアントプログラムの開発技術を所有している者によってアップグレード可能な気象情報受信及び出力専用装置を提供することである。
【０００６】
また、本発明の他の目的は、内蔵型メモリにクライアントプログラムであるアプリケーションプログラムを格納し、気象庁のサーバ以外の他のシステムからの接続を遮断し、ウィルス及びハッキングなどからの保安安定性を強化できるようにした気象情報受信及び出力専用装置を提供することである。
【課題を解決するための手段】
【０００７】
前記のような目的を達成するために、本発明は、気象庁のサーバに接続してデータベースを検索し、通報文ダウンロードの有無を照会するサーバ接続部と、前記サーバ接続部によるデータベース照会後、新規の通報文をダウンロードして処理する通報文ダウンロード処理部と、前記通報文ダウンロード処理部の信号を受けて、新規の通報文を出力するように制御する通報文出力制御部と、前記通報文出力制御部の制御によって通報文が認識用に出力される通報文出力部とを含み、前記サーバ接続部及び通報文ダウンロード処理部は、インターネットの開放型アーキテクチャを基盤にしてデータベースを照会・ダウンロードすることを特徴とする。
【０００８】
また、本発明での前記サーバ接続部、通報文ダウンロード処理部、通報文出力制御部及び通報文出力部は、一体型セットトップボックス形態で備えられることを特徴とする。
【０００９】
また、本発明での前記通報文出力部は、警光灯、ＬＣＤ表示部、電光板、スピーカ及びプリンタから選択される少なくとも一つであることを特徴とする。
【００１０】
また、本発明での前記通報文出力制御部には、アプリケーションプログラムを格納し、特定のサーバのみに接続されるように内蔵型メモリが連結されることを特徴とする。
【発明の効果】
【００１１】
本発明の気象情報受信及び出力専用装置は、気象予報及び特報を汎用的なフォーマットから標準フォーマットとして選定し、インターネット上でリアルタイムにダウンロードし、気象情報出力プログラムであるスマートアラーム及びオープンアーキテクチャを基盤にして視覚的及び聴覚的に出力可能であるので、通報文を圧縮又は暗号化せずに直接接続した後、通報文を照会したり、通報文の伝送を受けることができ、該当クライアントプログラムの開発技術を所有している者によってアップグレードが可能であり、内蔵型メモリにクライアントプログラムであるアプリケーションプログラムを格納し、気象庁のサーバ以外の他のシステムからの接続を遮断し、ウィルス及びハッキングなどからの保安安定性を強化することができる。
【図面の簡単な説明】
【００１２】
【図１】本発明による気象情報受信及び出力専用装置を示した概略図である。
【図２】前記気象情報受信及び出力専用装置の構成図である。
【発明を実施するための形態】
【００１３】
以下、本発明の気象情報受信及び出力専用装置の一実施例を添付の図面を参照して説明する。
【００１４】
本発明の好適な一実施例に係る気象情報受信及び出力専用装置は、図１及び図２に示すように、サーバ接続部１１０、通報文ダウンロード処理部１２０、通報文出力制御部１３０及び通報文出力部を含む。
【００１５】
このとき、前記気象情報受信及び出力専用装置１００を介して出力する発信先であるサーバ１は、通報文受信部１０及び通報文処理部１２を含んで構成される。前記通報文受信部１０は、気象予報及び特報通報文をサーバ１を介して受信し、前記通報文処理部１２は、通報文受信部１０で受信された通報文を、サーバ接続部１１０の接続時に発表する天気予報又は特報通報文としてデータベース化するように処理する。
【００１６】
ここで、前記サーバ接続部１１０、通報文ダウンロード処理部１２０、通報文出力制御部１３０及び通報文出力部は、一体型セットトップボックス形態で備えられることが望ましい。
【００１７】
前記サーバ接続部１１０は、通報文出力制御部１３０に格納されているクライアントプログラムを用い、インターネットを介して気象庁のサーバ１に一定の周期ごとに接続し、発表する天気予報又は特報通報文の有無を照会する。
【００１８】
前記通報文ダウンロード処理部１２０は、サーバ接続部１１０によって気象庁のサーバ１に天気予報又は特報に該当するデータベース（ＤＢ）が存在するかどうかを照会した後、ダウンロードするデータベースがあれば、それに該当する新規の通報文をダウンロードして処理する。
【００１９】
このとき、前記サーバ接続部１１０及び通報文ダウンロード処理部１２０は、インターネットの開放型アーキテクチャ（Ｏｐｅｎ  Ａｒｃｈｉｔｅｃｔｕｒｅ：ＭＳ基盤及びＨＴＴＰ基盤）を適用してデータベースを照会・ダウンロードする。すなわち、該当クライアントプログラムの開発技術を所有している者であれば、誰でも機能を自由にアップグレードすることができる。
【００２０】
結局、データベースの照会及びダウンロード時、開放型アーキテクチャを基盤にして多数のユーザが接続するとしても、気象庁のサーバ１に負荷を与えないインターネット（ＨＴＴＰ）基盤のポーリング（Ｐｏｌｌｉｎｇ）方式を資料送受信プロトコルとして採択する。そして、暗号化されていない汎用フォーマットの通報文を出力する開放型アーキテクチャを適用して多様な機能を容易に追加できるので、持続的な発展が可能なスマートアラーム［Ｓｍａｒｔ（Ｓｅｌｆ―Ｍｏｎｉｔｏｒｉｎｇ  Ａｎａｌｙｓｉｓ  ＆  Ｒｅｐｏｒｔｉｎｇ  Ｔｅｃｈｎｏｌｏｇｙ）Ａｌａｒｍ］出力プログラムが適用される。
【００２１】
そして、通報文を圧縮又は暗号化せずに直接接続した後、通報文の伝送を受けるように構成し、汎用的なビューワのみを設置すれば通報文の照会が可能である。
【００２２】
前記通報文出力制御部１３０は、前記通報文ダウンロード処理部１２０の信号を受けて、新規の通報文を出力するように通報文出力部を制御する。
【００２３】
このとき、前記通報文出力制御部１３０に連結される内蔵型ＵＳＢメモリ（図示せず）にクライアントプログラムであるアプリケーションプログラムを格納し、気象庁のサーバ１以外の他のシステムからの接続を遮断し、ウィルス及びハッキングなどからの保安安定性を強化する。
【００２４】
また、前記通報文出力制御部１３０に連結されるようにＵＳＢポート（図示せず）を備えて、多様な業務環境に合わせて通報文出力部以外の出力装置などを拡張可能である。
【００２５】
前記通報文出力部は、通報文出力制御部１３０の制御によって作動し、例えば、通報文が認識用に出力されるＬＣＤ表示部１４０、天気予報又は特報に該当する文句が点灯又は消灯するＬＥＤによって文字として表記され、文字を移動させる電光板であるＬＥＤ表示部１４２、警光灯１４４、スピーカ１４６及びプリンタ１４８などが適用され、視覚的及び聴覚的に出力できる装置に変更又は増減が可能である。
【００２６】
さらに、前記通報文出力部が適用される気象情報受信及び出力専用装置１００は、一例として、一体型セットトップボックスで構成されるが、セットトップボックス本体の前面中心部にＬＣＤ表示部１４０が配置され、ＬＣＤ表示部１４０の上端にＬＥＤ表示部１４２が配置され、ＬＥＤ表示部１４２の上端に警光灯１４４が配置され、ＬＣＤ表示部１４０の両端にスピーカ１４６が配置される。
【００２７】
以下、本発明による気象情報受信及び出力専用装置１００の作動過程について説明する。
【００２８】
まず、前記サーバ接続部１１０は、通報文出力制御部１３０に格納されているクライアントプログラムを用い、インターネットを介して気象庁のサーバ１に一定の周期ごとに接続し、発表する天気予報又は特報通報文の有無を照会する。
【００２９】
次に、気象庁のサーバ１にダウンロードする天気予報又は特報通報文があれば、通報文ダウンロード処理部１２０によってそれに該当する新規の通報文データベースをダウンロードする。
【００３０】
次に、前記通報文ダウンロード処理部１２０からダウンロードした天気予報又は特報通報文データベースを通報文出力部を介して出力するが、これは、ＬＣＤ表示部１４０、電光板であるＬＥＤ表示部１４２、警光灯１４４、スピーカ１４６によって出力し、その他にプリンタ１４８などでも出力可能である。
【００３１】
以上、本発明の好適な実施例を詳細に説明したが、本発明の保護範囲は、前記実施例に限定されるものでなく、該当技術分野で通常の知識を有する者であれば、本発明の思想及び技術領域から逸脱しない範囲内で本発明を多様に修正及び変更可能であることを理解することができる。
【符号の説明】
【００３２】
１００：気象情報受信及び出力専用装置、１４０：ＬＣＤ表示部、１４２：ＬＥＤ表示部、１４４：警光灯、１４６：スピーカ
【図１】
2010141896.tif 000003
【図２】
2010141896.tif 000004